(57)【要約】【課題】  １台のミリ波送信機から送信されたミリ波無線信号を複数台のミリ波受信機によって受信することを可能にする。【解決手段】  １台のミリ波送信機２から離れた位置に設置されたミリ波分岐器４によって、ミリ波送信機から送信されたミリ波無線信号を、互いに異なる複数の伝搬方向に伝搬させ、これら伝搬方向それぞれに、前記分岐手段から離れて配置されたミリ波受信機６、８で無線信号を受信する。【選択図】        図１
2011091550.tif 000002
【特許請求の範囲】
【請求項１】
ミリ波無線信号の１台の送信手段と、
この送信手段から離れた位置に設置され、前記ミリ波無線信号を入射して、互いに異なる複数の伝搬方向に伝搬させる分岐手段と、
前記複数の伝搬方向それぞれに前記分岐手段から離れて配置された前記ミリ波無線信号を受信する複数の受信手段とを、
具備するミリ波無線伝送システム。
【請求項２】
請求項１記載のミリ波無線信号伝送システムにおいて、前記分岐手段によって伝搬された少なくとも１波の前記ミリ波無線信号は、反射手段によって、その伝搬方向が変更された後、対応する受信手段によって受信されるミリ波無線伝送システム。
【請求項３】
請求項２記載のミリ波無線信号伝送システムにおいて、前記反射手段が異なる位置に複数設けられ、前記少なくとも１波のミリ波無線信号は、伝搬方向が複数回にわたって変更されるミリ波無線伝送システム。
【請求項４】
請求項１記載のミリ波無線伝送システムにおいて、前記分岐手段において伝搬された少なくとも１波のミリ波無線信号は、別の分岐手段によって互いに異なる複数の伝搬方向に伝搬されて、これら複数の伝搬方向にそれぞれ設けられた受信手段によって受信されるミリ波無線伝送システム。
【請求項５】
請求項１記載のミリ波無線伝送システムにおいて、前記送信手段から送信された前記ミリ波無線信号は、反射手段によって伝搬方向が変更された後、前記分岐手段に入射するミリ波無線伝送システム。
【請求項６】
ミリ波無線信号の１台の送信手段と、
この送信手段から離れた別々の位置に設置され、前記ミリ波無線信号を受信する複数の受信手段と、
前記送信手段と、前記複数の受信手段との間に配置され、前記ミリ波無線信号を入射して互いに異なる複数の伝搬方向に伝搬させる少なくとも１台の分岐手段と、前記ミリ波無線信号の伝搬方向を変更する少なくとも１台の反射手段とを、含み、前記分岐手段と前記反射手段とは、別の位置に配置され、前記送信手段からの前記ミリ波無線信号を、前記複数の受信手段それぞれに伝搬させる伝搬手段とを、
具備するミリ波無線伝送システム。
【発明の詳細な説明】
【技術分野】
【０００１】
本発明は、ミリ波無線信号の伝送システムに関し、特に、１台の送信手段から複数台の受信手段に伝送するシステムに関する。
【背景技術】
【０００２】
従来、上記のミリ波無線伝送システムとしては、例えば特許文献１に開示されているようなものがある。特許文献１の技術は、建築物の天井空間や床下空間に設置された送信機からミリ波無線信号を天井空間または床下空間に送信する。受信機が設置された建築物の部屋の天井または床下には、前記送信機から天井または床下空間に送信されたミリ波無線信号を前記受信機側に反射させる反射板が設けられている。
【先行技術文献】
【特許文献】
【０００３】
【特許文献１】特開２００７−２７４１４７号公報
【発明の概要】
【発明が解決しようとする課題】
【０００４】
特許文献１の技術によれば、天井や床下を利用してミリ波無線信号を伝送し、反射器によって部屋にミリ波無線信号を反射させて受信機に供給しているので、受信機の設置位置に制約を受けないが、送信機と受信機とが１対１の関係であるので、多数の受信機に同一のミリ波無線信号を伝送する場合には、多数の送信機が必要になる。
【０００５】
本発明は、１台の送信手段から送信されたミリ波無線信号を複数の受信手段で受信することができるミリ波無線伝送システムを提供することを目的とする。
【課題を解決するための手段】
【０００６】
本発明の一態様のミリ波無線伝送システムは、ミリ波無線信号の１台の送信手段を有している。ミリ波無線信号は、例えば衛星放送信号や衛星通信号や地上デジタルテレビジョン放送信号等を周波数変換したものを使用することができる。この送信手段から離れた位置に分岐手段が設置されている。分岐手段は、送信手段から送信された前記ミリ波無線信号を入射して、互いに異なる複数の伝搬方向に伝搬させる。前記複数の伝搬方向それぞれに前記分岐手段から離れて複数の受信手段が配置され、これらは、分岐手段で伝搬方向を変更された前記ミリ波無線信号を受信する。
【０００７】
このように構成されたミリ波無線伝送システムでは、分岐手段を使用して１台のミリ波無線信号を異なる方向に伝搬させているので、１台の送信手段から送信されたミリ波無線信号を複数の受信手段によって受信することができる。
【０００８】
前記分岐手段によって伝搬された少なくとも１波の前記ミリ波無線信号を、反射手段によって、その伝搬方向が変更された後、対応する受信手段によって受信することができる。このように構成すると、分岐手段によって伝搬方向が変更された少なくとも１波のミリ波無線信号が例えば建築物の天井や床下を伝送されていても、反射手段の使用によって部屋内の受信手段によって受信することが可能になる。
【０００９】
さらに、前記反射手段を異なる位置に複数設けることもできる。この場合、前記少なくとも１波のミリ波無線信号は、伝搬方向が複数回にわたって変更される。このように構成することによって、例えば分岐手段によって伝搬方向が変更された少なくとも１波のミリ波無線信号が直進すると壁や柱に衝突し、それ以上伝搬することが不可能な場合でも、複数の反射手段によって伝搬方向を複数回にわたって変更することによって、壁や柱を回避して伝搬させることができる。
【００１０】
上記の態様において、前記分岐手段において伝搬された少なくとも１波のミリ波無線信号を、別の分岐手段によって互いに異なる複数の伝搬方向に伝搬し、これら複数の伝搬方向にそれぞれ設けられた受信手段によって受信することもできる。このように構成すると、１台の送信手段から送信されたミリ波無線信号を更に多くの受信手段によって受信することが可能になる。
【００１１】
上記の態様において、前記送信手段から送信された前記ミリ波無線信号の伝搬方向を、反射手段によって変更した後、前記分岐手段に入射することもできる。このように構成すると、１台の送信手段をどのような位置に設置しても、反射手段によって反射させることによって所望の伝搬方向に伝搬させることができる。
【００１２】
本発明の別の態様のミリ波無線伝送システムは、上記態様のミリ波無線伝送システムと同様に送信手段と、複数の受信手段とを有している。送信手段と複数の受信手段との間に、伝搬手段が設けられている。伝搬手段は、前記ミリ波無線信号を入射して互いに異なる複数の伝搬方向に伝搬させる少なくとも１台の分岐手段と、前記ミリ波無線信号の伝搬方向を変更する少なくとも１台の反射手段とを、含み、前記分岐手段と前記反射手段とは、別の位置に配置され、前記送信手段からの前記ミリ波無線信号を、前記複数の受信手段それぞれに伝搬させる。送信手段からのミリ波無線信号が少なくとも１台の分岐手段によって分岐された後、分岐されたミリ波無線信号が反射されることもあるし、逆に、送信手段からのミリ波無線信号が反射手段によって反射され、反射されたミリ波無線信号が分岐手段によって分岐されることもある。
【００１３】
このように構成されたミリ波無線伝送システムでも、伝搬手段の使用によって、１台の送信手段から送信されたミリ波無線信号を、複数の受信手段それぞれによって受信することができる。
【発明の効果】
【００１４】
以上のように、本発明によれば、１台の送信手段から送信されたミリ波無線信号を複数台の受信手段によって受信することが可能になる。
【図面の簡単な説明】
【００１５】
【図１】本発明の第１の実施形態のミリ波無線伝送システムの配置図である。
【図２】図１のミリ波無線伝送システムで使用するミリ波分岐器の平面図と側面図である。
【図３】本発明の第２の実施形態のミリ波無線伝送システムの配置図である。
【図４】本発明の第３の実施形態のミリ波無線伝送システムの配置図である。
【図５】本発明の第４の実施形態のミリ波無線伝送システムの配置図である。
【図６】本発明の各実施形態で使用できるミリ波分岐器の別の例の側面図と平面図である。
【図７】本発明の各実施形態で使用できるミリ波分岐器の他の例の側面図と平面図である。
【図８】本発明の各実施形態で使用できるミリ波分岐器の更に別の例の側面図と平面図である。
【発明を実施するための形態】
【００１６】
本発明の第１の実施形態のミリ波無線伝送システムは、図１に示すように、送信手段、例えばミリ波送信機２を備えている。ミリ波送信機２は、ミリ波無線信号を送信するもので、このミリ波無線信号は、送信すべき情報を含んだ送信信号、例えば地上デジタルテレビジョン放送信号、衛星放送中間周波信号及びまたは衛星通信中間周波信号をミリ波帯に周波数変換したものである。このミリ波無線信号は、直進的に伝搬する。
【００１７】
このミリ波送信機２に対向し、かつミリ波送信機２から見通せる離れた位置に、伝搬手段の一部をなす分岐手段、例えばミリ波分岐器４が設置されている。ミリ波分岐器４は、これに供給されたミリ波無線信号を異なる複数の方向、例えば３方向に反射させて、その反射方向に伝搬させるものである。ミリ波分岐器４は、図１に示すように複数、例えば３つの反射面４ａ、４ｂ、４ｃを有している。これら反射面４ａ、４ｂ、４ｃは、ミリ波無線信号を反射する材料、例えばアルミ箔を所定の基部に貼り付けたものである。反射面４ａ、４ｂは同一の形状であり、図２（ｂ）に示すように台形状に形成されている。また反射面４ｃは、図１に示すように三角形状に形成されている。反射面４ａ、４ｂは、それらの上底を互いに接触させて、鉛直となるようにかつ斜辺がそれぞれ下方に位置するように配置されている。この配置状態において、図２（ａ）に示すように反射面４ａ、４ｂは、予め定めた角度αをなしている。また、この配置状態において、反射面４ａ、４ｂの斜辺が隣接する２つの辺をなす三角形の位置に反射面４ｃが、それらの隣接する２つの辺が、反射面４ａ、４ｂの斜辺と接するように配置されている。反射面４ｃは、反射面４ａ、４ｂの下底同士を繋ぐ平面に対して図２（ｂ）に示すように所定角度βをなしている。
【００１８】
反射面４ａ、４ｂ、４ｃでは、それらに立てた法線に対してミリ波無線信号が或る角度をなして入射した場合、ミリ波無線信号は、その角度と同じ角度を法線に対してなして反射面４ａ、４ｂ、４ｃで反射して、伝搬する。従って、例えば上述した角度αが９０度で、角度βが４５度に設定した場合、ミリ波送信機２が反射面４ａ、４ｂの互いに接している上辺に対して正対するように配置された場合、図２（ａ）に示すように反射面４ａ、４ｂでは、ミリ波無線信号は、反射面４ａ、４ｂでそれぞれ法線に対して４５度の入射角で入射し、法線に対して４５度の角度で反射されて、それぞれ左右両方向に水平に伝搬する。また、図２（ｂ）に示すように反射面４ｃでは、ミリ波無線信号は、反射面４ｃで法線に対して４５度の角度で入射し、法線に対して４５度の角度で反射されて、下側方向に垂直に伝搬する。
【００１９】
反射面４ａから離れた見通し位置に、反射面４ａと対向するように受信手段、例えばミリ波受信機６が配置されている。従って、このミリ波受信機６には、反射面４ａで反射されたミリ波無線信号が到来する。このミリ波受信機６は、ミリ波送信機２が送信したミリ波無線信号を受信して、元の送信信号、例えば地上デジタルテレビジョン放送信号、衛星放送中間周波信号及びまたは衛星通信中間周波信号に復元する。
【００２０】
また、ミリ波受信機６と同一構成のミリ波受信機８が、反射面４ｃと対向するように離れた見通し位置に配置されており、反射面４ｃで反射されたミリ波無線信号が到来し、上述したように元の無線信号がミリ波受信機８で復元される。
【００２１】
反射面４ｂと対向するように離れた見通し位置に、伝搬手段の他の部分をなす反射手段、例えばミリ波反射器１０が配置されている。ミリ波反射器１０は、１つの反射面１０ａを有し、側面が二等辺直角三角形状の三角柱状のものである。この反射面１０ａも、ミリ波分岐器４の反射面４ａ、４ｂ、４ｃと同様にミリ波無線信号を反射する材質、例えばアルミ箔で構成されている。この反射面１０ａが、ミリ波分岐器４側に斜め下方を向くようにミリ波反射器１０は配置されている。この反射面１０ａでも、この反射面１０ａに対して立てた法線に対して入射したミリ波無線信号が、その入射角と同じ反射角を法線に対してなして反射する。この実施形態では、反射面１０ａに向かって水平に反射面４ｂから伝搬してきたミリ波無線信号が法線に対して４５度の角度をなすように配置されているので、法線に対して４５度の角度で反射し、下側に垂直に伝搬する。この反射面１０ａと離れた見通し位置に、ミリ波受信機６、８と同一構成のミリ波受信機１２が、反射面１０ａと対向するように配置されており、反射面１０ａで反射されたミリ波無線信号がミリ波受信機１２に到来し、上述したように元の無線信号が復元される。
【００２２】
このように、本実施形態では、１台のミリ波無線送信機２で送信されたミリ波無線信号が、ミリ波分岐器４の使用によって、それぞれ異なる方向に分岐されている。従って、１台のミリ波無線送信機２からのミリ波無線信号を複数台のミリ波受信機６、８、１２によって受信することができ、ミリ波無線送信機の台数を減少させることができる。また、反射器１０を使用することによって、ミリ波送信機２から離れた位置にあり、ミリ波送信機２よりも下方にあるミリ波受信機１２に対してもミリ波無線信号を伝搬させることができる。
【００２３】
なお、これらミリ波分岐器４、ミリ波反射器１０、ミリ波受信機６、８、１２は、例えば建築物、例えばビルなどの部屋の天井付近のような、これらミリ波分岐器４、ミリ波反射器１０、ミリ波受信機６、８、１２が互いに見通せる空間に配置することができる。なお、同様に、互いに見通せる空間であれば、他の空間にも配置することができ、例えば室内の壁に沿った空間や床下の空間に配置することも可能である。また、第１の実施形態では、ミリ波分岐器４、ミリ波受信機６、ミリ波反射器１０をほぼ同一垂直面に配置し、ミリ波分岐器４の反射面４ｃとミリ波反射器１０の反射面１０ａがそれぞれ斜め下方を向くように配置して、ミリ波受信機８をミリ波分岐器４の下方、ミリ波受信機１２をミリ波反射器１０の下方に配置したが、ミリ波分岐器４、ミリ波受信機６、ミリ波反射器１０、ミリ波受信機８、ミリ波受信機１２をそれぞれほぼ同一垂直面に配置し、ミリ波分岐器４の反射面４ａ、４ｂ、４ｃが上記垂直面内において互いに９０度異なる方向を向くように配置し、ミリ波反射器１０が上記垂直面内において、反射面４ｂ側を向いて斜めに配置することもできる。
【００２４】
本発明の第２の実施形態のミリ波無線伝送システムを図３に示す。本実施形態のミリ波無線伝送システムでは、ミリ波分岐器４０が、２方向にミリ波を分岐するものに変更されている。ミリ波分岐器４０は、２つの反射面４０ａ、４０ｂのみを有し、ミリ波分岐器４０の下方に配置されたミリ波送信機２からのミリ波無線信号を左右両側に水平に分岐している。一方に分岐されたミリ波無線信号は、ミリ波分岐器４０と同一のミリ波分岐器４２の２つの反射面４２ａ、４２ｂによって上下両方向に分岐されている。下側に分岐されたミリ波無線信号は、ミリ波分岐器４２の下方に配置されたミリ波受信機６によって受信される。また、ミリ波分岐器４２によって上方に分岐されたミリ波無線信号は、図示していないミリ波受信機によって受信されるか、或いは別のミリ波分岐器またはミリ波反射器によって分岐または反射される。また、右側に分岐されたミリ波無線信号は、第１の実施形態のミリ波無線伝送システムと同様にミリ波反射器１０によって反射され、ミリ波受信機１２によって受信される。
【００２５】
なお、ミリ波分岐器４２は、その反射面４２ａ、４２ｂが上下方向に向くように配置したが、図３において反射面４２ａ、４２ｂが紙面の表方向と裏方向を向くように、図３における紙面の表裏方向にミリ波分岐４２を９０度回転させた配置することもできる。この場合、反射面４２ａ、４２ｂで反射されたミリ波無線信号を受信または反射または分岐するためのミリ波受信機、ミリ波反射器またはミリ波分岐器も、紙面の表裏方向にそれぞれ配置される。
【００２６】
なお、ミリ波送信機２、ミリ波分岐器４０、４２、ミリ波反射器１０、ミリ波受信機６、１２を、ほぼ同一水平面に配置し、この水平面内において、ミリ波送信機２をミリ波分岐器４０の両反射面４０ａ、４０ｂと対向するように、ミリ波分岐器４０の反射面４０ａがミリ波分岐器４２の反射面４２ａ、４２ｂと対向するように、ミリ波分岐器４２の反射面４２ａとミリ波受信機６とが対向するように、ミリ波反射器１０の反射面１０ａがミリ波受信機１２と対向するように、それぞれ配置することもできる。
【００２７】
このようにミリ波分岐器４０、４２、ミリ波反射器１０を使用することによって、ミリ波送信機２の左右両側にミリ波無線信号を伝搬することができる上に、ミリ波分岐器４２を挟んでミリ波受信機６と反対側にもミリ波無線信号を伝搬することができる。なお、ミリ波反射器１０に代えて、ミリ波分岐器４２と同様なミリ波分岐器を設置することによって、そのミリ波分岐器を挟んでミリ波受信機１２と反対側にもミリ波無線信号を伝搬することができる。
【００２８】
第３の実施形態のミリ波無線伝送システムを図４に示す。この実施形態のミリ波伝送システムでは、ミリ波送信機２からのミリ波無線信号が、ミリ波反射器１００の反射面１００ａによって下方に反射され、第２の実施形態のミリ波分岐器４０と同様なミリ波分岐４４の反射面４４ａ、４４ｂによって、水平方向の左右両側にミリ波無線信号が分岐されている。反射面４４ａで分岐されたミリ波無線信号は、ミリ波受信機６によって受信される。また反射面４４ｂで反射されたミリ波無線信号は、ミリ波反射器１０２の反射面１０２ａによって下方に反射され、ミリ波受信機１２によって受信される。
【００２９】
なお、ミリ波送信機２、ミリ波反射器１００、ミリ波分岐４４、ミリ波反射器１０２、ミリ波受信機６、１２をほぼ同一水平面内に配置することもできる。この場合、ミリ波送信機２からのミリ波無線信号は、ミリ波反射器１００の反射面１００ａによって上記水平面内において側方に反射され、更にミリ波分岐器４４の反射面４４ａ、４４ｂによって上記水平面内において左右両側に分岐され、反射面４４ｂ側で分岐されたミリ波無線信号は、ミリ波反射器１０２の反射面１０２ａによって上記水平面内において側方に反射されて、ミリ波受信機１２によって受信される。また、ミリ波分岐器４４の反射面４４ａによって反射されたミリ波無線信号は、ミリ波受信機６によって受信される。
【００３０】
このように、ミリ波無線送信機２からのミリ波無線信号を、ミリ波反射器１００によってまず反射させてからミリ波分岐器４４によって分岐する構成を採用しているので、ミリ波送信機２の設置位置に制約があって、ミリ波分岐器４４に対向するようにミリ波送信機２を設置できない場合に適している。
【００３１】
図５に第４の実施形態のミリ波無線伝送システムを示す。この実施形態のミリ波無線伝送システムは、例えば第３の実施形態において、各構成要素をほぼ同一水平面に配置した場合において、ミリ波分岐器４４とミリ波受信機６との間に、例えば柱５０のような障害物があり、ミリ波分岐器４４からミリ波受信機６を見通せず、反射面４４ａで反射されたミリ波を直接にミリ波受信機６に伝搬させることができない場合に、反射面４４ａで反射されたミリ波無線信号に、柱５０の周囲を迂回させるために、柱５０の４隅にミリ波反射器５２、５４、５６、５８を設けて、４回にわたって反射させたものである。
【００３２】
上記の各実施形態では、ミリ波分岐器には、３方向または２方向に隣接するものと９０度の角度をなすようにミリ波を分岐させるものを示したが、これに限ったものではなく、更に多方向に隣接するものとの間の角度を接近させてミリ波無線信号を分岐させることができる。例えば、図６（ａ）、（ｂ）に示すように四角錐型のミリ波分岐器４６を使用すると、その頂点側からミリ波送信機からのミリ波無線信号が入射することにより、４つの反射面４６ａ、４６ｂ、４６ｃ、４６ｄによって反射されると、隣接するものと互いに９０度の角度をなして、４方向に分岐される。例えばミリ波分岐器４６の底面が水平になるように配置し、ミリ波分岐器４６の頂点側にミリ波送信機を配置することによって、頂点の回りにほぼ同一水平面内において９０度間隔で４方向に分岐させることができる。各分岐されたミリ波無線信号は、そのままミリ波受信機で受信されたり、別のミリ波分岐器によってさらに分岐されたり、ミリ波反射器によって反射されてからミリ波受信機によって受信されたりする。
【００３３】
なお、図６（ｂ）に示す破線の円Ａ、Ｂ、Ｃは、ミリ波分岐器４６の頂点側から送信する送信機の指向性を示したもので、円Ａのようにミリ波分岐器４６の投影面積の頂点付近にのみ送信するものでは、ミリ波分岐器４６の投影面積に対して指向性範囲が小さく、かつ反射面積も小さくなるため、次段に設けられるミリ波反射器やミリ波受信機での反射や受信の調整が難しくなる。円Ｃのようにミリ波分岐器４６の投影面積よりもかなり大きな範囲に指向性範囲がなるものでは、ミリ波分岐器４６で反射されない伝搬が増加し、ミリ波分岐器４６の有効利用が図れない。円Ｂの場合には、ミリ波分岐器４６の投影面積を指向性範囲がほぼ覆っているので、殆どのミリ波無線信号がミリ波分岐器４６で反射されるので、後逸されるミリ波無線信号が少なくなる。従って、円Ｂのようにミリ波送信機の指向性を調整することが望ましい。なお、ミリ波分岐器４６を例にして示したが、これに限ったものではなく、上述した各ミリ波分岐器４、４０、４２、４４や後述するミリ波分岐器４８、１４０でも同様である。
【００３４】
或いは、図７（ａ）、（ｂ）に示すように、六角錐型のミリ波分岐器４８を使用すると、その頂点側からミリ波送信機からのミリ波無線信号が入射することにより、６つの反射面４８ａ、４８ｂ、４８ｃ、４８ｄ、４８ｅ、４８ｆによって反射されると、隣接するものと互いに６０度の角度をなして、６方向に分岐される。例えばミリ波分岐器４８の底面が水平になるように配置し、ミリ波分岐器４８の頂点側にミリ波送信機を配置することによって、頂点の回りにほぼ同一水平面内において６０度間隔で６方向に分岐させることができる。各分岐されたミリ波無線信号は、そのままミリ波受信機で受信されたり、別のミリ波分岐器によってさらに分岐されたり、ミリ波反射器によって反射されてからミリ波受信機によって受信されたりする。
【００３５】
或いは、図８（ａ）、（ｂ）に示すように、八角錐型のミリ波分岐器１４０を使用すると、その頂点側からミリ波送信機からのミリ波無線信号が入射することにより、８つの反射面１４０ａ、１４０ｂ、１４０ｃ、１４０ｄ、１４０ｅ、１４０ｆ、１４０ｇ、１４０ｈによって反射されると、隣接するものと互いに４５度の角度をなして、８方向に分岐される。例えばミリ波分岐器１４０の底面が水平になるように配置し、ミリ波分岐器１４０の頂点側にミリ波送信機を配置することによって、頂点の回りにほぼ同一水平面内において４５度間隔で８方向に分岐させることができる。各分岐されたミリ波無線信号は、そのままミリ波受信機で受信されたり、別のミリ波分岐器によってさらに分岐されたり、ミリ波反射器によって反射されてからミリ波受信機によって受信されたりする。
【００３６】
ミリ波反射器１０、１００、１０２、５２、５４、５６、５８としては、側面形状が二等辺直角三角形状のものを使用して、ミリ波無線信号を直角に反射させたが、これに限ったものではなく、状況に応じてミリ波無線信号の入射角を調整することによって、入射角と同じ角度で反射させることができる。第１の実施形態では、ミリ波反射器１０を設けたが、これを除去し、ミリ波反射器１０の設置位置にミリ波受信機を設置することもできる。第１の実施形態では、ミリ波分岐器４で分岐させたミリ波無線信号をミリ波反射器１０で反射させたが、例えばミリ波送信機８の設置位置の関係上、ミリ波反射器でミリ波送信機８からのミリ波無線信号を反射させた後に、この反射されたミリ波無線信号をミリ波分岐器４で分岐させることもできる。
【符号の説明】
【００３７】
２  ミリ波送信機（送信手段）
４  ４０  ４２  ４４  ４６  ４８  １４０  ミリ波分岐器（分岐手段）
６    ８  １２  ミリ波受信機（受信手段）
１０  １００  １０２  ５２  ５４  ５６  ５８  ミリ波反射器（反射手段）
【図１】
2011091550.tif 000003
【図２】
2011091550.tif 000004
【図３】
2011091550.tif 000005
【図４】
2011091550.tif 000006
【図５】
2011091550.tif 000007
【図６】
2011091550.tif 000008
【図７】
2011091550.tif 000009
【図８】
2011091550.tif 000010